(57)【特許請求の範囲】
【請求項１】
中継用の筐体内部に配置され、ＣＡＴＶ事業者側を出発点あるいは帰着点とする第１の伝送路と、この第１の伝送路を経て前記ＣＡＴＶ事業者側から送られてきた信号を抽出して伝送する第１の下り線路と、各加入者側から送られてきた信号を前記第１の伝送路に送り出す上り線路のそれぞれの一端を収容し、第１の伝送路から送られてきた信号を前記第１の下り線路に送り出すと共に前記上り線路から送られてきた信号を第１の伝送路に送り出す第１の方向性ろ波器と、
前記中継用の筐体内部に配置され、各加入者側を出発点あるいは帰着点とする第２の伝送路の一端と、この第２の伝送路を経て前記各加入者側から送られてきた信号を抽出して伝送する線路としての前記上り線路の他端と、ＣＡＴＶ事業者側から送られてきた信号を前記第２の伝送路に送り出す第２の下り線路の一端をそれぞれ収容し、第２の伝送路から送られてきた信号を前記上り線路に送り出すと共に前記第２の下り線路から送られてきた信号を第２の伝送路に送り出す第２の方向性ろ波器と、
前記中継用の筐体内部に配置され、前記第１の下り線路を経た下り信号を２つに分岐しその一方を前記第２の方向性ろ波器に一端を収容した前記第２の下り線路の他端に接続する分岐器と、
前記中継用の筐体内部に配置され、この分岐器により分岐された下り信号の他方を入力して前記ＣＡＴＶ事業者側がケーブルによって前記各加入者側に配信する周波数帯域以外の特定の周波数帯域の信号を抽出するバンドパスフィルタと、
前記中継用の筐体内部に配置され、このバンドパスフィルタによって抽出された信号を入力して無線で出力する信号に変換する無線送信器と、
を具備することを特徴とするＣＡＴＶ中継器。
【請求項２】
前記第１の下り線路および前記上り線路には、伝送する信号の増幅を行う増幅手段がそれぞれ介在していることを特徴とする請求項１記載のＣＡＴＶ中継器。
【請求項３】
前記第１の下り線路および前記上り線路は、増幅機能を備えない線路のみで構成されていることを特徴とする請求項１記載のＣＡＴＶ中継器。
【請求項４】
前記特定の周波数帯域の信号は、９０−１０８ＭＨｚおよび１７０−２２２ＭＨｚ周波数帯域の信号であることを特徴とする請求項１記載のＣＡＴＶ中継器。
【請求項５】
前記無線送信器の前記無線で出力する信号の周波数帯域は、前記各加入者側に到達する他の無線信号の周波数帯域とは異なることを特徴とする請求項１記載のＣＡＴＶ中継器。
【請求項６】
前記無線送信器と無線を送出するために設けられる送信用アンテナの間には、この無線送信器の出力する信号インピーダンスを、送信用アンテナに適した信号インピーダンスに変換する第２のインピーダンス変換器が配置されていることを特徴とする請求項１記載のＣＡＴＶ中継器。
【請求項７】
それぞれ中継用の筐体内部に配置され、ＣＡＴＶ事業者側を出発点あるいは帰着点とする第１の伝送路と、この第１の伝送路を経て前記ＣＡＴＶ事業者側から送られてきた信号を抽出して伝送する第１の下り線路と、各加入者側から送られてきた信号を前記第１の伝送路に送り出す上り線路のそれぞれの一端を収容し、第１の伝送路から送られてきた信号を前記第１の下り線路に送り出すと共に前記上り線路から送られてきた信号を第１の伝送路に送り出す第１の方向性ろ波器と、前記中継用の筐体内部に配置され、各加入者側を出発点あるいは帰着点とする第２の伝送路の一端と、この第２の伝送路を経て前記各加入者側から送られてきた信号を抽出して伝送する線路としての前記上り線路の他端と、ＣＡＴＶ事業者側から送られてきた信号を前記第２の伝送路に送り出す第２の下り線路の一端をそれぞれ収容し、第２の伝送路から送られてきた信号を前記上り線路に送り出すと共に前記第２の下り線路から送られてきた信号を第２の伝送路に送り出す第２の方向性ろ波器と、前記中継用の筐体内部に配置され、前記第１の下り線路を経た下り信号を２つに分岐しその一方を前記第２の方向性ろ波器に一端を収容した前記第２の下り線路の他端に接続する分岐器と、前記中継用の筐体内部に配置され、この分岐器により分岐された下り信号の他方を入力して前記ＣＡＴＶ事業者側がケーブルによって前記各加入者側に配信する周波数帯域以外の特定の周波数帯域の信号を抽出するバンドパスフィルタと、前記中継用の筐体内部に配置され、このバンドパスフィルタによって抽出された信号を入力して無線で出力する信号に変換する無線送信器とをそれぞれ備えた複数のＣＡＴＶ中継器と、
これら複数のＣＡＴＶ中継器の隣り合ったもの同士を、前記第１の伝送路と第２の伝送路を接続することで間隔を置いて直列状に連結する連結手段と
を具備することを特徴とするＣＡＴＶ伝送システム。
【請求項８】
前記第１の下り線路および前記上り線路を伝送する信号の増幅を行う増幅手段が内蔵されたＣＡＴＶ中継器の近傍に、前記第１の下り線路および前記上り線路が増幅機能を備えない線路のみで構成されているＣＡＴＶ中継器が配置されていることを特徴とする請求項７記載のＣＡＴＶ伝送システム。
【請求項９】
前記複数のＣＡＴＶ中継器のいずれかから引き出された無線送信用ケーブルと、前記中継用の筐体の外部に配置され、前記無線送信用ケーブルに接続された無線送信器とを具備することを特徴とする請求項７記載のＣＡＴＶ伝送システム。
【請求項１０】
ＣＡＴＶ事業者とそれぞれの加入者を繋ぐ伝送路に間隔を置いて、無線送信器を内蔵したＣＡＴＶ中継器を配置したＣＡＴＶ伝送システムにおける前記ＣＡＴＶ中継器のそれぞれからケーブルを用いて各加入者宅に対して特定の周波数帯域の信号を配信する有線配信ステップと、
前記各加入者宅に配信する特定の周波数帯域以外の周波数帯域からなる特定信号を前記ＣＡＴＶ中継器内で分離する特定信号分離ステップと、
この特定信号分離ステップで分離した特定信号を前記ＣＡＴＶ中継器内で無線信号に変換して加入者の無線端末に送信する無線送信ステップと
を具備することを特徴とする有線、無線信号送信方法。
【発明の詳細な説明】
【技術分野】
【０００１】
本発明は、ＣＡＴＶ中継器、ＣＡＴＶ伝送システムおよび有線、無線信号送信方法に関する。
【背景技術】
【０００２】
我が国では、有線通信を行うための通信網としてＣＡＴＶ（Common Antenna TeleVision, Community Antenna TeleVision）伝送路網が発展しており、アンテナを使用することなく、全国各地でテレビジョン番組を受信できるようになっている。この本発明に関連する第１の関連技術では、ＣＡＴＶ伝送路網に同軸ケーブルや光ファイバを使用することにより、インターネットによる通信や光電話といったサービスも行われている（たとえば特許文献１参照）。
【０００３】
この一方で、無線通信のための周波数帯域は不足しており、携帯電話機に代表される無線端末に十分な周波数帯域を割り当てられないのが現状である。このため、ＶＨＦ（Very High Frequency）帯域に広範囲に使用されてきたテレビジョン放送用の周波数帯域を整理することが行われている。地上波テレビジョンをデジタル方式のテレビジョン放送に移行させる措置がそれである。
【０００４】
図７は、従来の地上波テレビジョン方式による電波の割当と、デジタル方式のテレビジョン放送に移行後の電波の割当を対比したものである。横軸は無線周波数であり、単位はＭＨｚ（メガヘルツ）である。
【０００５】
同図（Ａ）は移行前の状態を示したものである。９０−１０８ＭＨｚおよび１７０−２２２ＭＨｚのＶＨＦ帯域はテレビジョン（ＴＶ）放送波に占有されている。４７０−７７０ＭＨｚは、ＵＨＦ（Ultra High Frequency）帯のテレビジョン放送に使用されている。
【０００６】
２０１１年７月２５日の地上デジタル方式への移行後は、同図（Ｂ）に示すように４７０−７７０ＭＨｚのＵＨＦ帯にデジタル方式のテレビジョン放送を移行する。これにより、９０−１０８ＭＨｚおよび１７０−２２２ＭＨｚのＶＨＦ帯でテレビジョンに使用されていた周波数帯域が空くことになる。これらの周波数帯域は、自営通信用に活用する方針となっている。
【先行技術文献】
【特許文献】
【０００７】
【特許文献１】特開２００３−０３２６４２号公報（第００４３段落、図１）
【発明の概要】
【発明が解決しようとする課題】
【０００８】
そこで、全国に広く展開されたＣＡＴＶ伝送路網を利用して、新たに開放される周波数帯域を無線通信のために使用することが提案されている。このため本発明の第２の関連技術では、ＣＡＴＶ伝送路網に沿って新たに所定の間隔で無線送信器を配備することが提案されている。そして、これら配備された無線送信器を使用して、たとえば９０−１０８ＭＨｚあるいは１７０−２２２ＭＨｚのＶＨＦ帯で無線を使用した通信を可能にすることができる。
【０００９】
ところがこのためにＣＡＴＶ伝送路網に所望の個数だけ無線送信器を配置することにした場合、次のような幾つかの問題が発生する。
（１）配置する無線送信器は、伝送路上に個別に所定の間隔を置いて配置する全く新しい装置であり、これを新たに製品開発する必要がある。
（２）このような無線送信器は、屋外での配置に耐える筐体構造を有するだけでなく、方向性ろ波器や電源回路等の各種の部品を必要とする。このため回路規模がある程度大きくなる可能性がある他に、伝送路上に無線送信器を挿入した分だけ挿入損失が新たに発生する。これにより、ＣＡＴＶ事業者は伝送路設計を新たに見直すという作業が発生し、挿入損失を補償するための補助増幅器のような部品も新たに必要になる。
【００１０】
そこで本発明の目的は、ＣＡＴＶ伝送路自体の設計の見直しを行うことなく無線通信を併用可能なＣＡＴＶ中継器、ＣＡＴＶ伝送システムおよび有線、無線信号送信方法を提供することにある。
【課題を解決するための手段】
【００１１】
本発明では、（イ）中継用の筐体内部に配置され、ＣＡＴＶ事業者側を出発点あるいは帰着点とする第１の伝送路と、この第１の伝送路を経て前記したＣＡＴＶ事業者側から送られてきた信号を抽出して伝送する第１の下り線路と、各加入者側から送られてきた信号を前記した第１の伝送路に送り出す上り線路のそれぞれの一端を収容し、第１の伝送路から送られてきた信号を前記した第１の下り線路に送り出すと共に前記した上り線路から送られてきた信号を第１の伝送路に送り出す第１の方向性ろ波器と、（ロ）前記した中継用の筐体内部に配置され、各加入者側を出発点あるいは帰着点とする第２の伝送路の一端と、この第２の伝送路を経て前記した各加入者側から送られてきた信号を抽出して伝送する線路としての前記した上り線路の他端と、ＣＡＴＶ事業者側から送られてきた信号を前記した第２の伝送路に送り出す第２の下り線路の一端をそれぞれ収容し、第２の伝送路から送られてきた信号を前記した上り線路に送り出すと共に前記した第２の下り線路から送られてきた信号を第２の伝送路に送り出す第２の方向性ろ波器と、（ハ）前記した中継用の筐体内部に配置され、前記した第１の下り線路を経た下り信号を２つに分岐しその一方を前記した第２の方向性ろ波器に一端を収容した前記した第２の下り線路の他端に接続する分岐器と、（ニ）前記した中継用の筐体内部に配置され、この分岐器により分岐された下り信号の他方を入力して前記したＣＡＴＶ事業者側がケーブルによって前記した各加入者側に配信する周波数帯域以外の特定の周波数帯域の信号を抽出するバンドパスフィルタと、（ホ）前記した中継用の筐体内部に配置され、このバンドパスフィルタによって抽出された信号を入力して無線で出力する信号に変換する無線送信器とをＣＡＴＶ中継器が具備する。
【００１２】
また、本発明では、（イ）それぞれ中継用の筐体内部に配置され、ＣＡＴＶ事業者側を出発点あるいは帰着点とする第１の伝送路と、この第１の伝送路を経て前記したＣＡＴＶ事業者側から送られてきた信号を抽出して伝送する第１の下り線路と、各加入者側から送られてきた信号を前記した第１の伝送路に送り出す上り線路のそれぞれの一端を収容し、第１の伝送路から送られてきた信号を前記した第１の下り線路に送り出すと共に前記した上り線路から送られてきた信号を第１の伝送路に送り出す第１の方向性ろ波器と、前記した中継用の筐体内部に配置され、各加入者側を出発点あるいは帰着点とする第２の伝送路の一端と、この第２の伝送路を経て前記した各加入者側から送られてきた信号を抽出して伝送する線路としての前記した上り線路の他端と、ＣＡＴＶ事業者側から送られてきた信号を前記した第２の伝送路に送り出す第２の下り線路の一端をそれぞれ収容し、第２の伝送路から送られてきた信号を前記した上り線路に送り出すと共に前記した第２の下り線路から送られてきた信号を第２の伝送路に送り出す第２の方向性ろ波器と、前記した中継用の筐体内部に配置され、前記した第１の下り線路を経た下り信号を２つに分岐しその一方を前記した第２の方向性ろ波器に一端を収容した前記した第２の下り線路の他端に接続する分岐器と、前記した中継用の筐体内部に配置され、この分岐器により分岐された下り信号の他方を入力して前記したＣＡＴＶ事業者側がケーブルによって前記した各加入者側に配信する周波数帯域以外の特定の周波数帯域の信号を抽出するバンドパスフィルタと、前記した中継用の筐体内部に配置され、このバンドパスフィルタによって抽出された信号を入力して無線で出力する信号に変換する無線送信器とをそれぞれ備えた複数のＣＡＴＶ中継器と、（ロ）これら複数のＣＡＴＶ中継器の隣り合ったもの同士を、前記した第１の伝送路と第２の伝送路を接続することで間隔を置いて直列状に連結する連結手段とをＣＡＴＶ伝送システムが具備する。
【００１３】
更に本発明では、（イ）ＣＡＴＶ事業者とそれぞれの加入者を繋ぐ伝送路に間隔を置いて、無線送信器を内蔵したＣＡＴＶ中継器を配置したＣＡＴＶ伝送システムにおける前記したＣＡＴＶ中継器のそれぞれからケーブルを用いて各加入者宅に対して特定の周波数帯域の信号を配信する有線配信ステップと、（ロ）前記した各加入者宅に配信する特定の周波数帯域以外の周波数帯域からなる特定信号を前記したＣＡＴＶ中継器内で分離する特定信号分離ステップと、（ハ）この特定信号分離ステップで分離した特定信号を前記したＣＡＴＶ中継器内で無線信号に変換して加入者の無線端末に送信する無線送信ステップとを有線、無線信号送信方法が具備する。
【発明の効果】
【００１４】
以上説明したように本発明によれば、ＣＡＴＶ中継器に無線送信器を内蔵することによって、本来の同軸ケーブル等の伝送路を用いたテレビジョン放送の有線による配信だけでなく、無線端末に対する無線通信が可能になる。これにより、たとえばＣＡＴＶの加入者に対してユビキタスにサービスを提供することができる。しかも、無線送信器をＣＡＴＶ中継器に内蔵することで、無線送信器を新たに開発してＣＡＴＶ中継器の外に個別に配備する場合に比べて、回路規模を小さくでき、更に既存のＣＡＴＶ伝送路設計を見直す必要がなくなる。また、またＣＡＴＶ中継器に無線送信器に内蔵する場合、ＣＡＴＶ事業者は伝送路上の既存のＣＡＴＶ中継器を置き換えるだけで、伝送路のレベルダイヤの変更は不要であり、伝送路設計を見直す必要がなくなる。
【図面の簡単な説明】
【００１５】
【図１】本発明のＣＡＴＶ中継器のクレーム対応図である。
【図２】本発明のＣＡＴＶ伝送システムのクレーム対応図である。
【図３】本発明の有線、無線信号送信方法のクレーム対応図である。
【図４】本発明の実施の形態によるＣＡＴＶ中継器の構成を表わしたブロック図である。
【図５】本発明の変形例におけるＣＡＴＶ中継器の構成を表わしたブロック図である。
【図６】従来のＣＡＴＶ中継器の構成を参考に表わしたブロック図である。
【図７】従来の地上波テレビジョン方式による電波の割当と、デジタル方式のテレビジョン放送に移行後の電波の割当を対比した説明図である。
【発明を実施するための形態】
【００１６】
図１は、本発明のＣＡＴＶ中継器のクレーム対応図を示したものである。本発明のＣＡＴＶ中継器１０は、第１の方向性ろ波器１１と、第２の方向性ろ波器１２と、分岐器１３と、バンドパスフィルタ１４と、無線送信器１５を備えている。ここで、第１の方向性ろ波器１１は、中継用の筐体内部に配置され、ＣＡＴＶ事業者側を出発点あるいは帰着点とする第１の伝送路と、この第１の伝送路を経て前記したＣＡＴＶ事業者側から送られてきた信号を抽出して伝送する第１の下り線路と、各加入者側から送られてきた信号を前記した第１の伝送路に送り出す上り線路のそれぞれの一端を収容している。この第１の方向性ろ波器１１は、前記した第１の伝送路から送られてきた信号を前記した第１の下り線路に送り出すと共に前記した上り線路から送られてきた信号を前記した第１の伝送路に送り出す。第２の方向性ろ波器１２は、前記した中継用の筐体内部に配置され、各加入者側を出発点あるいは帰着点とする第２の伝送路の一端と、この第２の伝送路を経て前記した各加入者側から送られてきた信号を抽出して伝送する線路としての前記した上り線路の他端と、前記したＣＡＴＶ事業者側から送られてきた信号を前記した第２の伝送路に送り出す第２の下り線路の一端をそれぞれ収容している。第２の方向性ろ波器１２は、前記した第２の伝送路から送られてきた信号を前記した上り線路に送り出すと共に前記した第２の下り線路から送られてきた信号を前記した第２の伝送路に送り出す。分岐器１３は、前記した中継用の筐体内部に配置され、前記した第１の下り線路を経た下り信号を２つに分岐しその一方を前記した第２の方向性ろ波器１２に一端を収容した前記した第２の下り線路の他端に接続する。バンドパスフィルタ１４は、前記した中継用の筐体内部に配置され、分岐器１３により分岐された下り信号の他方を入力して前記したＣＡＴＶ事業者側がケーブルによって前記した各加入者側に配信する周波数帯域以外の特定の周波数帯域の信号を抽出する。無線送信器１５は、前記した中継用の筐体内部に配置され、バンドパスフィルタ１４によって抽出された信号を入力して無線で出力する信号に変換する。
【００１７】
図２は、本発明のＣＡＴＶ伝送システムのクレーム対応図を示したものである。本発明のＣＡＴＶ伝送システム２０は、複数のＣＡＴＶ中継器２１と、連結手段２２を備えている。ここで、複数のＣＡＴＶ中継器２１は、それぞれ中継用の筐体内部に配置された第１の方向性ろ波器２１ａと、第２の方向性ろ波器２１ｂと、分岐器２１ｃと、バンドパスフィルタ２１ｄと、無線送信器２１ｅから構成されている。第１の方向性ろ波器２１ａは、ＣＡＴＶ事業者側を出発点あるいは帰着点とする第１の伝送路と、この第１の伝送路を経て前記したＣＡＴＶ事業者側から送られてきた信号を抽出して伝送する第１の下り線路と、各加入者側から送られてきた信号を前記した第１の伝送路に送り出す上り線路のそれぞれの一端を収容したものである。第１の方向性ろ波器２１ａは、前記した第１の伝送路から送られてきた信号を前記した第１の下り線路に送り出すと共に前記した上り線路から送られてきた信号を前記した第１の伝送路に送り出す。第２の方向性ろ波器２１ｂは、各加入者側を出発点あるいは帰着点とする第２の伝送路の一端と、この第２の伝送路を経て前記した各加入者側から送られてきた信号を抽出して伝送する線路としての前記した上り線路の他端と、前記したＣＡＴＶ事業者側から送られてきた信号を前記した第２の伝送路に送り出す第２の下り線路の一端をそれぞれ収容したものである。第２の方向性ろ波器２１ｂは、前記した第２の伝送路から送られてきた信号を前記した上り線路に送り出すと共に前記した第２の下り線路から送られてきた信号を前記した第２の伝送路に送り出す。分岐器２１ｃは、前記した中継用の筐体内部に配置され、前記した第１の下り線路を経た下り信号を２つに分岐しその一方を前記した第２の方向性ろ波器２１ｂに一端を収容した前記した第２の下り線路の他端に接続する。バンドパスフィルタ２１ｄは、前記した中継用の筐体内部に配置され、分岐器２１ｃにより分岐された下り信号の他方を入力して前記したＣＡＴＶ事業者側がケーブルによって前記した各加入者側に配信する周波数帯域以外の特定の周波数帯域の信号を抽出する。無線送信器２１ｅは、バンドパスフィルタ２１ｄによって抽出された信号を入力して無線で出力する信号に変換する。連結手段２２は、これら複数のＣＡＴＶ中継器２１の隣り合ったもの同士を、前記した第１の伝送路と第２の伝送路を接続することで間隔を置いて直列状に連結する。
【００１８】
図３は、本発明の有線、無線信号送信方法のクレーム対応図を示したものである。本発明の有線、無線信号送信方法３０は、有線配信ステップ３１と、特定信号分離ステップ３２と、無線送信ステップ３３を備えている。ここで、有線配信ステップ３１では、ＣＡＴＶ事業者とそれぞれの加入者を繋ぐ伝送路に間隔を置いて、無線送信器を内蔵したＣＡＴＶ中継器を配置したＣＡＴＶ伝送システムにおける前記したＣＡＴＶ中継器のそれぞれからケーブルを用いて各加入者宅に対して特定の周波数帯域の信号を配信する。特定信号分離ステップ３２では、前記した各加入者宅に配信する特定の周波数帯域以外の周波数帯域からなる特定信号を前記したＣＡＴＶ中継器内で分離する。無線送信ステップ３３では、特定信号分離ステップ３２で分離した特定信号を前記したＣＡＴＶ中継器内で無線信号に変換して加入者の無線端末に送信する。
【００１９】
＜発明の実施の形態＞
【００２０】
次に本発明の実施の形態を説明する。
【００２１】
図４は、本発明の実施の形態によるＣＡＴＶ中継器の構成を表わしたものである。本実施の形態のＣＡＴＶ中継器１００は、ＣＡＴＶ伝送路網を構成する光ファイバ等の伝送路１０１の途中に約４００メートルの間隔を置いて１台ずつ配置されているものの１台である。ＣＡＴＶ中継器１００の一端側には、前段の伝送路１０１Xと接続した第１の方向性ろ波器（ＤＦ）１０２が配置されており、他端側には次段の伝送路１０１X+1と接続した第２の方向性ろ波器１０３が配置されている。
【００２２】
第１の方向性ろ波器１０２は、伝送路１０１Xから入力されたＣＡＴＶ事業者から加入者への下り信号１０４を第１の増幅素子１０５側に送出すると共に、第２の増幅素子１０６から入力された各加入者からの上り信号１０７を伝送路１０１Xに送出する役割を持っている。第２の方向性ろ波器１０３は、伝送路１０１X+1から入力された各加入者からの上り信号１０８を第２の増幅素子１０６に送出する。また、第２の方向性ろ波器１０３は、第１の増幅素子１０５から出力され分岐器１０９によって分岐された後の一方の下り信号１１１を入力して伝送路１０１X+1に送出する役割を持っている。
【００２３】
分岐器１０９によって分岐された他方の下り信号１１２はバンドパスフィルタ１１４に入力されて自営通信信号１１５が取り出される。自営通信信号１１５は、このＣＡＴＶ中継器１００の周辺に位置する図示しない無線端末に送出するための高周波の電気信号（ＲＦ（Radio Frequency）信号）である。バンドパスフィルタ１１４から取り出された特定周波数の自営通信信号１１５は、第１のインピーダンス変換器１１６に入力される。
【００２４】
第１のインピーダンス変換器１１６は、自営通信信号１１５の信号インピーダンスが７５オームであったのを、無線送信に適した信号インピーダンス５０オームに変換する。変換後の自営通信信号１１７は、ＣＡＴＶ中継器１００に内蔵された無線送信器１１８に入力され、前記した無線端末に送出するための自営通信信号１１９として出力される。この自営通信信号１１９は、第２のインピーダンス変換器１２１に入力され、信号インピーダンス５０オームを送信用アンテナ１２２に適した信号インピーダンス７５オームに変換する。変換後の自営通信信号１２３は送信用アンテナ１２２から空中に送信される。
【００２５】
本実施の形態のＣＡＴＶ中継器１００は、ＣＡＴＶ伝送路網でテレビジョンを視聴できるエリアに比較的密に点在している。このため、ＣＡＴＶ事業者は図７（Ｂ）に示した９０−１０８ＭＨｚあるいは１７０−２２２ＭＨｚのＶＨＦ帯域における自営通信に必要な特定の周波数帯域を使用して、無線送信器１１８の送信出力が比較的低い微弱電波の状態で、各加入者の無線端末に対する無線通信を行うことができる。
【００２６】
もちろん、ＣＡＴＶ事業者はＣＡＴＶ中継器１００の無線送信器１１８から無線で送信する情報の変復調方式と有線時の有線放送の変復調方式を同一とすることによって、無線端末の受信する情報を有線放送用端末でも受信することができるようになる。
【００２７】
以上説明したように本実施の形態によれば、ＣＡＴＶ事業者がＣＡＴＶ伝送路上に個別に無線送信器を配備する必要なく、ＣＡＴＶ中継器１００自体に内蔵した無線送信器１１８を使用することで、ＣＡＴＶを受信するエリア内で無線端末で無線を受信することができる。このようにＣＡＴＶ中継器１００自体が無線送信器としての機能を持つために、無線送信器を伝送路上に個別に設置する場合と比べて回路規模を小さくすることができる。また、無線送信器としての利得を考慮して設計が行われるので、伝送路のレベルダイヤは変わらず、ＣＡＴＶ伝送路設計の見直しも必要ないという利点がある。
【００２８】
また、既に説明したようにＣＡＴＶ中継器１００を設置する間隔は、たとえば４００メートル程度とかなり短い。このため、ＣＡＴＶ中継器１００に内蔵する無線送信器１１８は、微弱な電波を用いて送信できるというメリットがある。また、ＣＡＴＶ中継器１００に無線送信器１１８を内蔵するので、伝送路に無線送信器を個別に配備する場合と比べて無線送信器１１８のために独立した電源が不要であり、ＣＡＴＶ伝送路全体の消費電力を削減することができる。
【００２９】
更に本実施の形態によれば、有線放送の変複調方式と無線送信器の変復調方式を同じにすることによって、加入者は家庭や事業所内で有線放送用端末で受信する内容と同一の内容を、屋外等の任意の場所で、携帯端末あるいは無線受信器で無線方式で受信することができる。
【００３０】
＜発明の変形可能性＞
図５は、本発明の変形例におけるＣＡＴＶ中継器の構成を表わしたものである。図５で図４と同一部分には同一の符号を付しており、これらの説明を適宜省略する。
【００３１】
この変形例のＣＡＴＶ中継器１００Ａは、ＣＡＴＶ伝送路網を構成する光ファイバ等の伝送路１０１の途中に必要に応じて適宜配置される。ＣＡＴＶ中継器１００Ａの一端側には、前段の伝送路１０１Yと接続した第１の方向性ろ波器１０２が配置されており、他端側には次段の伝送路１０１Y+1と接続した第２の方向性ろ波器１０３が配置されている。
【００３２】
第１の方向性ろ波器１０２は、伝送路１０１Yから入力されたＣＡＴＶ事業者から加入者への下り信号１０４を分岐器１０９に直接入力する。また、第１の方向性ろ波器１０２は、第２の方向性ろ波器１０３からろ波された各加入者からの上り信号１０８Ａを伝送路１０１Yに送出する役割を持っている。第２の方向性ろ波器１０３は、また、分岐器１０９によって分岐された後の一方の下り信号１１１Ａを入力して伝送路１０１Y+1に送出する役割を持っている。
【００３３】
分岐器１０９によって分岐された他方の下り信号１１２Ａはバンドパスフィルタ１１４に入力されて自営通信信号１１５Ａが取り出される。自営通信信号１１５Ａは、このＣＡＴＶ中継器１００Ａの周辺に位置する図示しない無線端末に送出するための信号である。バンドパスフィルタ１１４から取り出された特定周波数の自営通信信号１１５Ａは、第１のインピーダンス変換器１１６に入力される。
【００３４】
第１のインピーダンス変換器１１６は、自営通信信号１１５Ａの信号インピーダンスが７５オームであったのを、無線送信に適した信号インピーダンス５０オームに変換する。変換後の自営通信信号１１７Ａは、ＣＡＴＶ中継器１００に内蔵された無線送信器１１８に入力され、前記した無線端末に送出するための自営通信信号１１９Ａとして出力される。この自営通信信号１１９Ａは、第２のインピーダンス変換器１２１に入力され、信号インピーダンス５０オームを送信用アンテナ１２２に適した信号インピーダンス７５オームに変換する。変換後の自営通信信号１２３Ａは送信用アンテナ１２２から空中に送信される。
【００３５】
このように変形例のＣＡＴＶ中継器１００Ａは、図４に示した実施の形態のＣＡＴＶ中継器１００と比べると、第１の増幅素子１０５および第２の増幅素子１０６を内蔵していない。これは、伝送路１０１Y、１０１Y+1の近傍に第１の増幅素子１０５や第２の増幅素子１０６を内蔵した図４に示したＣＡＴＶ中継器１００が存在する場合には、この変形例のＣＡＴＶ中継器１００Ａでも、信号のロスが特に問題になることなく無線送信器１１８を使用できるからである。もちろん、従来からＣＡＴＶ伝送路に使用される増幅素子を内蔵したＣＡＴＶ中継器が変形例のＣＡＴＶ中継器１００Ａの付近に存在してもよい。
【００３６】
図６は、このような従来のＣＡＴＶ中継器の構成を参考に表わしたものである。図６で図４と同一部分には同一の符号を付しており、これらの説明を適宜省略する。
【００３７】
従来のＣＡＴＶ中継器１００Ｃでは、第１の増幅素子１０５の出力側は第２の方向性ろ波器１０３と直結されている。したがって、第１の増幅素子１０５から出力される下り信号１１１Ｃは第２の方向性ろ波器１０３でろ波されて、次段の伝送路１０１X+1へ送出されることになる。第２の方向性ろ波器１０３でろ波された各加入者からの上り信号１０８の処理は実施の形態のＣＡＴＶ中継器１００と同様である。
【００３８】
本発明の変形例のＣＡＴＶ中継器１００Ａによれば、ＣＡＴＶ伝送路網を構成する伝送路１０１における無線の送信に最も適する場所に、既存のＣＡＴＶ中継器が存在しない場合であっても、無線送信器１１８を内蔵したＣＡＴＶ中継器を配置することができる。しかも、ＣＡＴＶ中継器１００Ａは実施の形態のＣＡＴＶ中継器１００に比べて安価で消費電力も抑えることができる。
【００３９】
なお、本発明はこれら実施の形態および変形例以外にも各種の変形が適用可能である。たとえば、第１の方向性ろ波器１０２および第２の方向性ろ波器１０３によって分波される下り信号は、７０−７７０ＭＨｚであり、上り信号は１０ＭＨｚ−５５ＭＨｚとなっている。したがって、第１の方向性ろ波器１０２および第２の方向性ろ波器１０３の通過帯域を変更することで、下り信号帯域と上り信号帯域を自在に変更することができる。
【００４０】
また、自営通信に使用する周波数については、バンドパスフィルタ１１４の通過帯域を変更することで、たとえば９０−１０８ＭＨｚあるいは１７０−２２２ＭＨｚといった許可された周波数の中で携帯電話機に代表される無線端末に対して所望の周波数を自由に割り当てて使用させることができる。
【００４１】
更に、ＣＡＴＶ中継器自体に実装する第１の方向性ろ波器１０２および第２の方向性ろ波器１０３の通過帯域と、バンドパスフィルタ１１４の通過帯域を変更することで、無線に使用可能な周波数帯域に対して柔軟に対応することができる。
【００４２】
また、以上説明した例ではＣＡＴＶ中継器に無線送信器を内蔵させる例を説明したが、これに限るものではない。たとえばＣＡＴＶ中継器に無線送信器を内蔵させる一方で、一部の地域ではＣＡＴＶ中継器から分離した無線通信用の信号を外付けの無線送信器に送って、ここから無線通信を行うようにしてもよい。これにより、ＣＡＴＶを現在視聴している契約者以外の契約者を獲得して新しい無線サービスを実現することも可能になる。
【００４３】
以上説明した実施の形態の一部または全部は、以下の付記のようにも記載されるが、以下の記載に限定されるものではない。
【００４４】
（付記１）
中継用の筐体内部に配置され、ＣＡＴＶ事業者側を出発点あるいは帰着点とする第１の伝送路と、この第１の伝送路を経て前記ＣＡＴＶ事業者側から送られてきた信号を抽出して伝送する第１の下り線路と、各加入者側から送られてきた信号を前記第１の伝送路に送り出す上り線路のそれぞれの一端を収容し、第１の伝送路から送られてきた信号を前記第１の下り線路に送り出すと共に前記上り線路から送られてきた信号を第１の伝送路に送り出す第１の方向性ろ波器と、
前記中継用の筐体内部に配置され、各加入者側を出発点あるいは帰着点とする第２の伝送路の一端と、この第２の伝送路を経て前記各加入者側から送られてきた信号を抽出して伝送する線路としての前記上り線路の他端と、ＣＡＴＶ事業者側から送られてきた信号を前記第２の伝送路に送り出す第２の下り線路の一端をそれぞれ収容し、第２の伝送路から送られてきた信号を前記上り線路に送り出すと共に前記第２の下り線路から送られてきた信号を第２の伝送路に送り出す第２の方向性ろ波器と、
前記中継用の筐体内部に配置され、前記第１の下り線路を経た下り信号を２つに分岐しその一方を前記第２の方向性ろ波器に一端を収容した前記第２の下り線路の他端に接続する分岐器と、
前記中継用の筐体内部に配置され、この分岐器により分岐された下り信号の他方を入力して前記ＣＡＴＶ事業者側がケーブルによって前記各加入者側に配信する周波数帯域以外の特定の周波数帯域の信号を抽出するバンドパスフィルタと、
前記中継用の筐体内部に配置され、このバンドパスフィルタによって抽出された信号を入力して無線で出力する信号に変換する無線送信器と、
とを具備することを特徴とするＣＡＴＶ中継器。
【００４５】
（付記２）
前記第１の下り線路および前記上り線路には、伝送する信号の増幅を行う増幅手段がそれぞれ介在していることを特徴とする付記１記載のＣＡＴＶ中継器。
【００４６】
（付記３）
前記第１の下り線路および前記上り線路は、増幅機能を備えない線路のみで構成されていることを特徴とする付記１記載のＣＡＴＶ中継器。
【００４７】
（付記４）
前記特定の周波数帯域の信号は、９０−１０８ＭＨｚおよび１７０−２２２ＭＨｚ周波数帯域の信号であることを特徴とする付記１記載のＣＡＴＶ中継器。
【００４８】
（付記５）
前記バンドパスフィルタと無線送信器の間には、９０−１０８ＭＨｚおよび１７０−２２２ＭＨｚ周波数帯域の信号インピーダンスを、無線送信に適した信号インピーダンスに変換する第１のインピーダンス変換器が配置されていることを特徴とする付記４記載のＣＡＴＶ中継器。
【００４９】
（付記６）
前記無線送信器と無線を送出するために設けられる送信用アンテナの間には、この無線送信器の出力する信号インピーダンスを、送信用アンテナに適した信号インピーダンスに変換する第２のインピーダンス変換器が配置されていることを特徴とする付記１記載のＣＡＴＶ中継器。
【００５０】
（付記７）
それぞれ中継用の筐体内部に配置され、ＣＡＴＶ事業者側を出発点あるいは帰着点とする第１の伝送路と、この第１の伝送路を経て前記ＣＡＴＶ事業者側から送られてきた信号を抽出して伝送する第１の下り線路と、各加入者側から送られてきた信号を前記第１の伝送路に送り出す上り線路のそれぞれの一端を収容し、第１の伝送路から送られてきた信号を前記第１の下り線路に送り出すと共に前記上り線路から送られてきた信号を第１の伝送路に送り出す第１の方向性ろ波器と、前記中継用の筐体内部に配置され、各加入者側を出発点あるいは帰着点とする第２の伝送路の一端と、この第２の伝送路を経て前記各加入者側から送られてきた信号を抽出して伝送する線路としての前記上り線路の他端と、ＣＡＴＶ事業者側から送られてきた信号を前記第２の伝送路に送り出す第２の下り線路の一端をそれぞれ収容し、第２の伝送路から送られてきた信号を前記上り線路に送り出すと共に前記第２の下り線路から送られてきた信号を第２の伝送路に送り出す第２の方向性ろ波器と、前記中継用の筐体内部に配置され、前記第１の下り線路を経た下り信号を２つに分岐しその一方を前記第２の方向性ろ波器に一端を収容した前記第２の下り線路の他端に接続する分岐器と、前記中継用の筐体内部に配置され、この分岐器により分岐された下り信号の他方を入力して前記ＣＡＴＶ事業者側がケーブルによって前記各加入者側に配信する周波数帯域以外の特定の周波数帯域の信号を抽出するバンドパスフィルタと、前記中継用の筐体内部に配置され、このバンドパスフィルタによって抽出された信号を入力して無線で出力する信号に変換する無線送信器とをそれぞれ備えた複数のＣＡＴＶ中継器と、
これら複数のＣＡＴＶ中継器の隣り合ったもの同士を、前記第１の伝送路と第２の伝送路を接続することで間隔を置いて直列状に連結する連結手段
とを具備することを特徴とするＣＡＴＶ伝送システム。
【００５１】
（付記８）
前記第１の下り線路および前記上り線路を伝送する信号の増幅を行う増幅手段が内蔵されたＣＡＴＶ中継器の近傍に、前記第１の下り線路および前記上り線路が増幅機能を備えない線路のみで構成されているＣＡＴＶ中継器が配置されていることを特徴とする付記７記載のＣＡＴＶ伝送システム。
【００５２】
（付記９）
前記複数のＣＡＴＶ中継器のいずれかから引き出された無線送信用ケーブルと、前記中継用の筐体の外部に配置され、前記無線送信用ケーブルに接続された無線送信器とを具備することを特徴とする付記７記載のＣＡＴＶ伝送システム。
【００５３】
（付記１０）
ＣＡＴＶ事業者とそれぞれの加入者を繋ぐ伝送路に間隔を置いて、無線送信器を内蔵したＣＡＴＶ中継器を配置したＣＡＴＶ伝送システムにおける前記ＣＡＴＶ中継器のそれぞれからケーブルを用いて各加入者宅に対して特定の周波数帯域の信号を配信する有線配信ステップと、
前記各加入者宅に配信する特定の周波数帯域以外の周波数帯域からなる特定信号を前記ＣＡＴＶ中継器内で分離する特定信号分離ステップと、
この特定信号分離ステップで分離した特定信号を前記ＣＡＴＶ中継器内で無線信号に変換して加入者の無線端末に送信する無線送信ステップ
とを具備することを特徴とする有線、無線信号送信方法。
【符号の説明】
【００５４】
１０、１００、１００Ａ、１００Ｃ  ＣＡＴＶ中継器
１１、２１ａ、１０２  第１の方向性ろ波器
１２、２１ｂ、１０３  第２の方向性ろ波器
１３、２１ｃ、１０９  分岐器
１４、２１ｄ、１１４  バンドパスフィルタ
１５、２１ｅ、１１８  無線送信器
２０  ＣＡＴＶ伝送システム
２１  複数のＣＡＴＶ中継器
２２  連結手段
３０  有線、無線信号送信方法
３１  有線配信ステップ
３２  特定信号分離ステップ
３３  無線送信ステップ
１０１  伝送路
１０５  第１の増幅素子
１０６  第２の増幅素子
１１６  第１のインピーダンス変換器
１２１  第２のインピーダンス変換器
１２２  送信用アンテナ
【図１】
0005623829.tif 000002
【図２】
0005623829.tif 000003
【図３】
0005623829.tif 000004
【図４】
0005623829.tif 000005
【図５】
0005623829.tif 000006
【図６】
0005623829.tif 000007
【図７】
0005623829.tif 000008